(57)【特許請求の範囲】
【請求項１】
レール部材の上に載せられたソーラーパネルをこのレール部材に固定するためのソーラーパネル固定装置であって、
前記レール部材に頭部が係止され、この頭部から軸部が上方に延びている固定ボルトと、この固定ボルトの前記軸部が挿入される孔部を有する押し付け部材と、この押し付け部材の前記孔部から上方に突出している前記軸部に螺合されて締め付けられることにより、前記レール部材と前記押し付け部材との間に配置された前記ソーラーパネルを前記押し付け部材からの押し付け力により前記レール部材に固定するためのナットと、を含んで構成され、
前記押し付け部材には、前記ソーラーパネルに当接する当接部が設けられているとともに、前記固定ボルトと前記押し付け部材とのうち、少なくとも一方には、前記軸部を中心とする回転方向に前記押し付け部材と前記軸部とを連結した状態とするための連結手段が設けられており、
前記当接部は第１当接部であり、前記押し付け部材には、前記レール部材と前記押し付け部材との間に配置される配置物に当接する第２当接部が設けられ、これらの第１当接部と第２当接部とが前記押し付け部材に前記レール部材の長さ方向に並設されており、
前記ソーラーパネルは、前記レール部材の長さ方向に複数個並設されているソーラーパネルのうち、前記レール部材の一方の端部側に配置されたソーラーパネルであり、このソーラーパネルにおける前記レール部材の前記一方の端部側の端部上面に、このソーラーパネルに前記第１当接部が当接した前記押し付け部材からの前記押し付け力が作用し、前記第１当接部よりも前記レール部材の前記一方の端部側の箇所に配置されている前記第２当接部には、前記固定ボルトの前記軸部のうち、前記押し付け部材よりも下側の部分を隠すためのカバー部材が当接し、このカバー部材が前記配置物となっており、
前記カバー部材には、前記押し付け部材の前記第１当接部と前記第２当接部との間に配置されてこれらの当接部の両方に当接することにより、前記カバー部材を前記レール部材の長さ方向に位置決めするための突起部が設けられていることを特徴とするソーラーパネル固定装置。
【請求項２】
レール部材の上に載せられたソーラーパネルをこのレール部材に固定するためのソーラーパネル固定装置であって、
前記レール部材に頭部が係止され、この頭部から軸部が上方に延びている固定ボルトと、この固定ボルトの前記軸部が挿入される孔部を有する押し付け部材と、この押し付け部材の前記孔部から上方に突出している前記軸部に螺合されて締め付けられることにより、前記レール部材と前記押し付け部材との間に配置された前記ソーラーパネルを前記押し付け部材からの押し付け力により前記レール部材に固定するためのナットと、を含んで構成され、
前記押し付け部材には、前記ソーラーパネルに当接する当接部が設けられているとともに、前記固定ボルトと前記押し付け部材とのうち、少なくとも一方には、前記軸部を中心とする回転方向に前記押し付け部材と前記軸部とを連結した状態とするための連結手段が設けられており、
前記当接部は第１当接部であり、前記押し付け部材には、前記レール部材と前記押し付け部材との間に配置される配置物に当接する第２当接部が設けられ、これらの第１当接部と第２当接部とが前記押し付け部材に前記レール部材の長さ方向に並設されており、
前記ソーラーパネルは、前記レール部材の長さ方向に複数個並設されているソーラーパネルのうち、前記レール部材の一方の端部側に配置されたソーラーパネルであり、このソーラーパネルにおける前記レール部材の前記一方の端部側の端部上面に、このソーラーパネルに前記第１当接部が当接した前記押し付け部材からの前記押し付け力が作用し、前記第１当接部よりも前記レール部材の前記一方の端部側の箇所に配置されている前記第２当接部には、前記固定ボルトの前記軸部のうち、前記押し付け部材よりも下側の部分を隠すためのカバー部材が当接し、このカバー部材が前記配置物となっており、
前記カバー部材は、前記レール部材の長さ方向の成分を有し、前記レール部材の上面に載っている第１部分と、この第１部分に対して屈曲した部分となっていて、前記レール部材の前記上面に載っている第２部分とを有するものとなっていることを特徴とするソーラーパネル固定装置。
【請求項３】
請求項１又は２に記載のソーラーパネル固定装置において、前記押し付け部材は、前記レール部材の長さ方向と直交する方向の寸法が長く、前記レール部材の長さ方向と同じ方向の寸法が短い長方形の形状を有し、前記第１当接部と第２当接部は、前記押し付け部材の下面に、この押し付け部材の長辺の長さ方向の全長に渡って連続して形成されていることを特徴とするソーラーパネル固定装置。
【請求項４】
請求項１〜３のいずれかに記載のソーラーパネル固定装置において、前記押し付け部材に前記固定ボルトの前記軸部を挿入するために設けられている前記孔部は、前記第１当接部と前記第２当接部との間に形成されていることを特徴とするソーラーパネル固定装置。
【発明の詳細な説明】
【技術分野】
【０００１】
本発明は、レール部材の上に載せられた太陽光発電用のソーラーパネルをレール部材に固定するための固定装置に係り、例えば、住宅等の屋根や屋上に設置されるソーラーパネルや、メガソーラーシステムのためのソーラーパネルに利用できるものである。
【背景技術】
【０００２】
下記の特許文献１には、レール部材の上に載せられたソーラーパネルをこのレール部材に固定することが示されている。ソーラーパネルをレール部材に固定するための一例は、固定ボルトの頭部をレール部材に係止し、この固定ボルトの軸部を挿入するための孔部を押し付け部材に設け、この押し付け部材の孔部から上方に突出した固定ボルトの軸部にナットを螺合し、このナットを締め付けることにより、レール部材と押し付け部材との間に配置されたソーラーパネルを押し付け部材からの押し付け力によりレール部材に固定することである。
【先行技術文献】
【特許文献】
【０００３】
【特許文献１】特開２０１２−６９９２９号公報
【発明の概要】
【発明が解決しようとする課題】
【０００４】
しかし、このようなソーラーパネル固定装置によると、固定ボルトの軸部に螺合したナットを回転させると、固定ボルトがナットと一体に回転してしまう共回り現象が生じてしまい、固定ボルトの軸部に対してナットを締め付ける作業が困難になるおそれがある。
【０００５】
本発明の目的は、固定ボルトの軸部に螺合したナットを回転させても、固定ボルトがナットと一体に回転してしまう共回り現象の発生をなくすことができるソーラーパネル固定装置を提供するところにある。
【課題を解決するための手段】
【０００６】
本発明に係るソーラーパネル固定装置は、レール部材の上に載せられたソーラーパネルをこのレール部材に固定するためのソーラーパネル固定装置であって、前記レール部材に頭部が係止され、この頭部から軸部が上方に延びている固定ボルトと、この固定ボルトの前記軸部が挿入される孔部を有する押し付け部材と、この押し付け部材の前記孔部から上方に突出している前記軸部に螺合されて締め付けられることにより、前記レール部材と前記押し付け部材との間に配置された前記ソーラーパネルを前記押し付け部材からの押し付け力により前記レール部材に固定するためのナットと、を含んで構成され、前記押し付け部材には、前記ソーラーパネルに当接する当接部が設けられているとともに、前記固定ボルトと前記押し付け部材とのうち、少なくとも一方には、前記軸部を中心とする回転方向に前記押し付け部材と前記軸部とを連結した状態とするための連結手段が設けられていることを特徴とするものである。
【０００７】
このソーラーパネル固定装置によると、押し付け部材には、ソーラーパネルに当接する当接部が設けられ、また、固定ボルトと押し付け部材とのうち、少なくとも一方には、固定ボルトの軸部を中心とする回転方向に固定ボルトの軸部と押し付け部材とを連結した状態とするための連結手段が設けられているため、固定ボルトの軸部に螺合したナットを回転させたときに、固定ボルトがナットと一体に回転してしまうことは、ソーラーパネルに当接している押し付け部材の当接部と、固定ボルトと押し付け部材とのうち、少なくとも一方に設けられている前記連結手段とにより、防止されることになり、このため、固定ボルトがナットと一体に回転する共回り現象の発生をなくすことができて、ナットの締め付け作業を容易に行えるようになる。
【０００８】
なお、以上の本発明において、固定ボルトと押し付け部材とのうち、少なくとも一方に、固定ボルトの軸部を中心とする回転方向に押し付け部材とこの軸部とを連結した状態とするために設けられる前記連結手段は、押し付け部材と固定ボルトの軸部とを、この軸部を中心とする回転方向に連結した状態にすることができるものであれば、任意のものでよく、その一例は、固定ボルトの軸部に面取り部を設け、この軸部が挿入される押し付け部材の孔部の形状を、面取り部付きとなっている軸部の断面形状と対応した形状のものとすることであり、また、他の例は、固定ボルトの軸部に凹溝を設け、押し付け部材の孔部にこの凹溝に係合する凸部を設けることであり、さらに、他の例は、固定ボルトの軸部に凸部を設け、押し付け部材の孔部にこの凸部が係合する凹溝を設けることである。
【０００９】
また、本発明において、前記当接部を有する押し付け部材の形状及び構造は、前記共回り現象の発生をなくすことができるものであれば任意のものでよく、その一例は、前記当接部を第１当接部とし、押し付け部材には、レール部材と押し付け部材との間に配置される配置物に当接する第２当接部を設け、これらの第１当接部と第２当接部とを押し付け部材にレール部材の長さ方向に並設することである。
【００１０】
このように押し付け部材に、第１当接部と第２当接部とをレール部材の長さ方向に並設した場合には、一例として、前記ソーラーパネルを、レール部材の長さ方向に複数個並設されているソーラーパネルのうち、レール部材の一方の端部側に配置されたソーラーパネルとし、このソーラーパネルにおけるレール部材の前記一方の端部側の端部上面に、このソーラーパネルに第１当接部が当接した押し付け部材からの押し付け力が作用するようにするとともに、第１当接部よりもレール部材の前記一方の端部側の箇所に配置されている第２当接部に、固定ボルトの軸部のうち、押し付け部材よりも下側の部分を隠すためのカバー部材を当接させるようにし、このカバー部材を前記配置物としてもよい。
【００１１】
これによると、カバー部材により、固定ボルトの軸部のうち、押し付け部材よりも下側の部分を隠すことができるとともに、第１当接部と第２当接部により、ソーラーパネルとカバー部材との位置関係をレール部材の長さ方向に適切に設定できるようになる。
【００１２】
また、このようにする場合には、カバー部材には、押し付け部材の第１当接部と第２当接部との間に配置されてこれらの当接部の両方に当接することにより、カバー部材をレール部材の長さ方向に位置決めするための突起部を設けてもよい。
【００１３】
これによると、突起部により、カバー部材をレール部材の長さ方向に位置決めして配置できるようになる。
【００１４】
さらに、上述のようにする場合には、カバー部材を、レール部材の長さ方向の成分を有し、レール部材の上面に載っている第１部分と、この第１部分に対して屈曲した部分となっていて、レール部材の上面に載っている第２部分とを有するものとしてもよい。
【００１５】
これによると、カバー部材を押し付け部材の押し付け力によりレール部材に固定する作業を行う前に、このカバー部材を、第１部分と第２部分とにより、レール部材の上面に自立させておくことができるようになり、これにより、カバー部材を押し付け部材の押し付け力によりレール部材に固定する作業を容易に行えるようになる。
【００１６】
また、上述のように押し付け部材に、第１当接部と第２当接部とを押し付け部材にレール部材の長さ方向に並設した場合であって、レール部材の長さ方向に複数個のソーラーパネルを並設する場合には、これらのソーラーパネルのうち、１個のソーラーパネルを前記第１当接部を当接させる前記ソーラーパネルとし、このソーラーパネルとレール部材の長さ方向に隣接して配置されているソーラーパネルに前記第２当接部を当接させ、このソーラーパネルを前記配置物としてもよい。
【００１７】
さらに、本発明に係るソーラーパネル固定装置に用いられる押し付け部材を、レール部材の長さ方向と直交する方向の寸法が長く、レール部材の長さ方向と同じ方向の寸法が短い長方形の形状を有するものとし、第１当接部と第２当接部を、押し付け部材の下面に、この押し付け部材の長辺の長さ方向の全長に渡って連続して形成されたものとしてもよい。
【００１８】
これによると、押し付け部材の長辺と直交する断面の形状を、押し付け部材の長辺の全長に渡って同じにできるため、押し付け部材を、例えば、アルミ又はアルミ合金等の金属を材料とする押し出し成形品や引き抜き成形品により容易に製造できるようになる。
【００１９】
また、上述のように押し付け部材に、第１当接部と第２当接部とを押し付け部材にレール部材の長さ方向に並設した場合には、押し付け部材に固定ボルトの軸部を挿入するために設けられている前記孔部を、第１当接部と第２当接部との間に形成することが好ましい。
【００２０】
これによると、押し付け部材の孔部に挿入された固定ボルトの軸部にナットを螺合し、このナットを締め付けたときに、第１当接部が当接しているソーラーパネルと、第２当接部が当接している前記配置物との両方に、ナットの締め付けによる押し付け部材の押し付け力を均等に作用させることができ、これにより、ソーラーパネルと前記配置物とをレール部材に確実に固定できるようになる。
【００２１】
以上の本発明において、固定ボルトの頭部をレール部材に係止することは任意な構造や手段等より行うことができ、その一例は、レール部材に長孔を形成し、固定ボルトの頭部をこの長孔に挿入できる長方形のものとし、頭部を長孔に挿入した固定ボルトを軸部を中心に９０度回転させることにより、固定ボルトの頭部をレール部材に係止することである。また、他の例は、レール部材にこのレール部材の全長に渡る長溝を形成し、固定ボルトの頭部をこの長溝に挿入できる長方形のものとし、頭部を長溝に挿入した固定ボルトを軸部を中心に９０度回転させることにより、固定ボルトの頭部をレール部材に係止することである。
【００２２】
また、本発明に係るソーラーパネル固定装置は、任意の場所に設置されるソーラーパネルに適用することができ、このソーラーパネルは、例えば、住宅等の屋根や屋上に設置されるソーラーパネルでもよく、空き地や傾斜地等に設置されるメガソーラーシステムのためのソーラーパネルでもよい。
【発明の効果】
【００２３】
本発明によると、固定ボルトの軸部に螺合したナットを回転させても、固定ボルトがナットと一体に回転してしまう共回り現象の発生をなくすことができるという効果を得られる。
【図面の簡単な説明】
【００２４】
【図１】図１は、レール部材の上に載せられて本発明の一実施形態に係る固定装置によりレール部材に固定される複数のソーラーパネルを示す斜視図である。
【図２】図２は、図１の一部の箇所の拡大図である。
【図３】図３は、一部を破断した図２の平面図である。
【図４】図４は、図３のＳ４−Ｓ４線断面図である。
【図５】図５は、図２で示されている固定装置の分解斜視図である。
【図６】図６は、図２とは別の箇所における縦断面図である。
【図７】図７は、図６で示されている固定装置の分解斜視図である。
【図８】図８は、図７の固定装置の組み立て図である。
【発明を実施するための形態】
【００２５】
以下に本発明を実施するための形態を図面に基づいて説明する。図１には、太陽光発電のための複数のソーラーパネル１がレール部材２の上に載せられ、これらのソーラーパネル１が本発明の一実施形態に係る固定装置Ａ，Ｂ，Ｃによってレール部材２に固定されることが示されている。レール部材２は、住宅の屋根の上に図示しない取付具により取り付けられており、屋根の勾配方向に延びているレール部材２は、屋根の勾配方向と直交する方向（レール部材２の幅方向）に間隔をあけて複数本が並設され、互いに隣接している２本のレール部材２の上に複数個、図１の実施形態では２個のソーラーパネル１が載せられ、これらのソーラーパネル１は屋根の勾配方向であるレール部材２の長さ方向に並設配置されている。
【００２６】
それぞれのレール部材２の長さ方向の両端部２Ａ，２Ｂのうち、一方の端部２Ａは、屋根の低位側である軒側の端部であり、他方の端部２Ｂは、屋根の高位側である棟側の端部である。レール部材２に２個載せられているソーラーパネル１のうち、軒側に配置されているソーラーパネル１Ａは、レール部材２の軒側の端部２Ａに配置された固定装置Ａと、２個のソーラーパネル１の間に配置された固定装置Ｂとにより、レール部材２に固定されている。また、レール部材２に２個載せられているソーラーパネル１のうち、棟側に配置されているソーラーパネル１Ｂは、レール部材２の棟側の端部２Ｂに配置された固定装置Ｃと、２個のソーラーパネル１の間に配置された固定装置Ｂとにより、レール部材２に固定されている。
【００２７】
図２には、レール部材２の軒側の端部２Ａに配置された固定装置Ａが示されている。この図２から分かるように、それぞれのレール部材２は、上下２個のフランジ部３，４と、これらのフランジ部３，４の幅方向の同じ側の端部同士を連結するウェブ部５とからなるチャンネル材により形成されており、開口部は横向きとなっている。ソーラーパネル１は上側フランジ部３の上に載せられており、このフランジ部３には、固定装置Ａの配置箇所と対応する箇所において、レール部材２の長さ方向の長さが長くなっている長孔６（図４も参照）が形成されている。
【００２８】
このような長孔６は、図１で示されている固定装置Ｂ，Ｃの配置箇所と対応するレール部材２の上側フランジ部３の箇所にも設けられている。
【００２９】
図３は、一部を破断した図２の平面図であり、図４は、図３のＳ４−Ｓ４線断面図である。また、図５には、固定装置Ａの分解図が示されている。この図５に示されているように、固定装置Ａは、固定ボルト１０と、押し付け部材１１と、ナット１２と、カバー部材１３とからなる。固定ボルト１０は、頭部１０Ａが下向きとされ、この頭部１０Ａから固定ボルト１０の螺旋ねじが形成されている軸部１０Ｂが上方に延びている。頭部１０Ａは長方形の形状を有し、この長方形の長辺の長さ方向をレール部材２の長孔６の長辺の長さ方向と一致させることにより、頭部１０Ａを長孔６に上から挿入することができ、この挿入後に、固定ボルト１０を軸部１０Ｂを中心に９０度回動させることにより、頭部１０Ａは上側フランジ部３の下面に当接、係止する（図４を参照）ため、固定ボルト１０は、上方への引き抜き移動が不能となる。
【００３０】
また、軸部１０Ｂには、図５に示されているように、軸部１０Ｂの上端から下方へ延びる面取り部１４が形成されており、このような面取り部１４は、本実施形態では、軸部１０Ｂの互いに円周方向反対側において、２個設けられている。
【００３１】
図３に示されているように、押し付け部材１１は、レール部材２の長さ方向と直交する方向の寸法が長く、レール部材２の長さ方向と同じ方向の寸法が短い長方形の形状を有するものとなっている。また、図５に示されているように、押し付け部材１１の中央部には、固定ボルト１０の軸部１０Ｂが下から上へ挿入される孔部１５が形成されており、この孔部１５の形状は、軸部１０Ｂの全長のうち、面取り部１４が設けられている箇所での軸部１０Ｂの横断の断面形状と対応する形状となっているため、孔部１５は、２個の直線部１５Ａが互いに対向している小判形状又は略小判形状となっている。
【００３２】
押し付け部材１１の下面には、第１当接部１６と第２当接部１７が下向きに突出して形成されており、孔部１５の両側に設けられているこれらの当接部１６，１７は、上述のように長方形の形状となっている押し付け部材１１の短辺の長さ方向に間隔をあけて並設されている。また、第１当接部１６と第２当接部１７は、図３から分かるように、押し付け部材１１の長辺の長さ方向の全長に渡って連続したものとなっている。
【００３３】
このため、押し付け部材１１は、長辺と直交する断面形状が長辺の長さ方向に同一断面形状となって連続したものとなっており、このため、アルミ又はアルミ合金による押し出し成形品又は引き抜き成形品を所定寸法の間隔をあけて切断することを繰り返し、これらの切断によって得られた押し付け部材素材に、第１当接部１６と第２当接部１７との間において、孔部１５を形成することにより、多数の押し付け部材１１を安価で容易に製造することができる。
【００３４】
図５に示されているように、カバー部材１３は、固定ボルト１０の軸部１０Ｂの軸方向を高さ方向とする部材となっているとともに、この高さ方向と直交する平面内において複数屈曲している屈曲形状を有する部材となっている。これを具体的に説明すると、図３に示されているようにカバー部材１３は、レール部材２の幅方向に互いに対向している一対の対向部１８と、これらの対向部１８の同じ側の一方の端部からレール部材２の幅方向内側へ向かって延出している延出部１９と、これらの延出部１９と連結されていて、固定ボルト１０の軸部１０Ｂ側が開口している凹形状部２０と、これらの凹形状部２０同士を繋いでいる繋ぎ部２１とからなる。一対の対向部１８の内面のそれぞれには、２個の突起部２２，２３がレール部材２の長さ方向に間隔をあけて並設されており、これらの突起部２２，２３は、押し付け部材１１の高さの全長に渡って連続したものとなっている。
【００３５】
このため、カバー部材１３は、高さ方向と直交する断面形状が高さ方向に同一断面形状となって連続したものとなっており、このため、アルミ又はアルミ合金による押し出し成形品又は引き抜き成形品を所定寸法の間隔をあけて切断することを繰り返すことにより、多数のカバー部材１３を安価で容易に製造することができる。
【００３６】
図４に示されているように、このカバー部材１３の高さ寸法Ｈは、ソーラーパネル１の厚さ寸法Ｔと同じ又は略同じである。また、図３に示されているように、カバー部材１３の一対の対向部１８の内面に設けられている２個の突起部２２，２３の外側間の寸法Ｔ１は、押し付け部材１１の２個の当接部１６，１７の内側間の寸法Ｔ２と同じ又はこの寸法Ｔ２よりも若干小さくなっている。
【００３７】
また、図３から分かるように、カバー部材１３の２個の凹形状部２０と繋ぎ部２１とがレール部材２の上面、すなわち、前述の上側フランジ部３の上面に載るようになっている。
【００３８】
次に、レール部材２の長さ方向に並設されている２個のソーラーパネル１のうち、レール部材２の一方の端部である軒側の端部２Ａ側に配置されるソーラーパネル１Ａの軒側端部を固定装置Ａによりレール部材２に固定するための作業について説明する。
【００３９】
固定装置Ａの固定ボルト１０の頭部１０Ａを、レール部材２の上側フランジ部３に形成されている長孔６に前述したように挿入した後に、固定ボルト１０を軸部１０Ｂを中心に９０度回動させることにより、頭部１０Ａを上側フランジ部３の下面に当接、係止させる。次いで、固定ボルト１０の軸部１０Ｂの面取り部１４と、押し付け部材１１の孔部１５の直線部１５Ａとを一致させることにより、軸部１０Ｂを孔部１５に下から挿入し、孔部１５から上方に突出した軸部１０Ｂの部分にナット１２を螺合する。このときには、押し付け部材１１とレール部材２との間に、図４に示されているように、ソーラーパネル１Ａとカバー部材１３とを、軸部１０Ｂを間に挟んだ位置関係にしてレール部材２の長さ方向に配置しておき、この配置は、カバー部材１３をソーラーパネル１Ａよりもレール部材２の軒側の端部２Ａの側として行い、また、カバー部材１３の一対の対向部１８の内面に設けられている２個の突起部２２，２３の位置を、押し付け部材１１の第１当接部１６と第２当接部１７との間の位置としておく。
【００４０】
次いで、ナット１２を工具で回転させ、このナット１２を締め付ける。このようにナット１２を回転させて締め付けると、ナット１２が軸部１０Ｂに螺合している固定ボルト１０も回転しようとするが、軸部１０Ｂには面取り部１４が形成され、軸部１０Ｂが挿入されている押し付け部材１１の孔部１５には、面取り部１４が係止する直線部１５Ａが形成されているため、これらの面取り部１４と直線部１５Ａにより、軸部１０Ｂを中心とする回転方向に押し付け部材１１と軸部１０Ｂとを連結した状態とするための連結手段３０（図３及び図５を参照）が形成されていることになる。そして、このときには、図４に示されているように、押し付け部材１１の第１当接部１６は、ソーラーパネル１Ａの端面に当接している。
【００４１】
このため、ナット１２を回転させて締め付けたときにおける固定ボルト１０の回転は、ソーラーパネル１Ａの端面に当接している押し付け部材１１の第１当接部１６と、固定ボルト１０の軸部１０Ｂの面取り部１４及び押し付け部材１１の孔部１５の直線部１５Ａによる連結手段３０とにより阻止されることになる。このため、ナット１２を回転させても、固定ボルト１０がナット１２と一体に回転してしまう共回り現象は発生せず、作業者はナット１２の回転締め付け作業を容易に行える。
【００４２】
以上のようにナット１２の回転締め付け作業を行うと、図４に示されているように、ソーラーパネル１Ａの軒側の端部上面に、このソーラーパネル１Ａに第１当接部１６が当接した押し付け部材１１からの押し付け力が作用し、これにより、このソーラーパネル１Ａは、レール部材２に固定される。
【００４３】
また、固定ボルト１０の軸部１０Ｂを間に挟んでレール部材２の長さ方向にソーラーパネル１Ａと対向して配置されているカバー部材１３は、前述したように、ソーラーパネル１Ａの厚さ寸法Ｔと同じ又は略同じになっている高さ寸法Ｈを有しているため、ナット１２の回転締め付け作業を行うと、ソーラーパネル１Ａと同様に、押し付け部材１１とレール部材２との間に配置される配置物となっているこのカバー部材１３も、押し付け部材１１からの押し付け力によりレール部材２に固定される。そして、このカバー部材１３により、固定ボルト１０の軸部１０Ｂのうち、押し付け部材１１よりも下側の部分を隠すことができる。
【００４４】
また、押し付け部材１１には、第１当接部１６と第２当接部１７とがレール部材２の長さ方向に並設されており、前述したように、カバー部材１３の一対の対向部１８の内面に設けられている２個の突起部２２，２３の外側間の寸法Ｔ１は、押し付け部材１１の２個の当接部１６，１７の内側間の寸法Ｔ２と同じ又はこの寸法Ｔ２よりも若干小さくなっているため、図３に示されているように、２個の突起部２２，２３が第１当接部１６と第２当接部１７との間に挿入されることになり、これにより、第２当接部１７は、第１当接部１６と共に、カバー部材１３に当接する押し付け部材１１の箇所となる。これにより、カバー部材１３とソーラーパネル１Ａとの間隔を、押し付け部材１１の２個の当接部１６，１７のうち、少なくとも第２当接部１７により適切に設定することができる。
【００４５】
また、押し付け部材１１の２個の当接部１６，１７の間に挿入されたカバー部材１３の２個の突起部２２，２３が２個の当接部１６，１７に当接すると、カバー部材１３についてのレール部材２の長さ方向の位置が決定されるため、２個の突起部２２，２３により、カバー部材１３についてのレール部材２の長さ方向の位置決めを行えることになる。
【００４６】
さらに、前述したように、カバー部材１３には、レール部材２の上面に載っている２個の凹形状部２０が設けられており、図３で示されているように、凹形状部２０におけるレール部材２の長さ方向に延びる部分は、レール部材２の長さ方向の成分を有する第１部分２０Ａとなっており、また、凹形状部２０におけるレール部材２の幅方向に延びる部分は、第１部分２０Ａに対して屈曲した第２部分２０Ｂとなっている。このため、ナット１２を回転させて締め付ける前に、レール部材２の上面に載っているこれらの第１部分２０Ａと第２部分２０Ｂとにより、カバー部材１３をレール部材２の上で自立させておくことができ、これにより、ナット１２の回転締め付け作業を容易に行える。
【００４７】
また、固定ボルト１０の軸部１０Ｂが挿入される押し付け部材１１の孔部１５は、第１当接部１６と第２当接部１７との間に形成されていて、軸部１０Ｂを間に挟んでソーラーパネル１Ａとカバー部材１３とが配置されているため、ナット１２の回転締め付け作業を行うと、押し付け部材１１により、ソーラーパネル１Ａとカバー部材１３とに、これらのソーラーパネル１Ａとカバー部材１３をレール部材２に固定するための押し付け力を均等又は略均等に作用させることができる。
【００４８】
以上の説明は、図１で示されているレール部材２の軒側の端部２Ａに配置される固定装置Ａについてであったが、レール部材２の棟側の端部２Ｂに配置された固定装置Ｃは、カバー部材１３の配置位置を、固定装置Ａと比較して、固定ボルト１０の軸部１０Ｂに対しレール部材２の長さ方向の反対側としたものであり、このため、固定装置Ｂも、固定ボルト１０と、押し付け部材１１と、ナット１２と、カバー部材１３とからなる。
【００４９】
図６〜図８には、図１で示されている軒側に配置されているソーラーパネル１Ａと、棟側に配置されているソーラーパネル１Ｂとの間に配置されている固定装置Ｂを示している。この固定装置Ｂでは、カバー部材１３が用いられておらず、固定ボルト１０と、押し付け部材１１と、ナット１２とが用いられている。そして、この固定装置Ｂでは、図６に示されているように、押し付け部材１１の第１当接部１６と第２当接部１７のうち、一方がソーラーパネル１Ａの棟側の端面に当接し、他方がソーラーパネル１Ｂの軒側の端面に当接する。そして、ナット１２を回転させて締め付けることにより、ソーラーパネル１Ａの棟側の端部上面と、ソーラーパネル１Ｂの軒側の端部上面とに押し付け部材１１からの押し付け力が作用し、これらのソーラーパネル１Ａ，１Ｂがレール部材２に固定される。
【００５０】
以上の固定装置Ａ，Ｂ，Ｃから分かるように、これらの固定装置Ａ，Ｂ，Ｃでは、固定ボルト１０と、押し付け部材１１と、ナット１２とが共通して用いられている。
【００５１】
なお、図６〜図８で示す固定装置Ｂでは、ソーラーパネル１Ａ，１Ｂから漏電した電流を逃がすためのアース部材４０が用いられている。リング状となっているこのアース部材４０は、固定ボルト１０の軸部１０Ｂの外周に嵌合され、図６に示されているように、ソーラーパネル１Ａ，１Ｂが押し付け部材１１からの押し付け力によりレール部材２に固定されるときに、アース部材４０がソーラーパネル１Ａ，１Ｂとレール部材２とで挟圧されてソーラーパネル１Ａ、１Ｂと確実に接触し、これにより、アース部材４０やレール部材２に接続される電線等より、ソーラーパネル１Ａ，１Ｂから漏電した電流は逃がされる。
【００５２】
また、アース部材４０の外周部に多数形成されている小突起を予め傾斜状態で上向きに立てておくことにより、ソーラーパネル１Ａ，１Ｂが押し付け部材１１からの押し付け力によりレール部材２に固定されるときに、これらの小突起によりアース部材４０をソーラーパネル１Ａ、１Ｂに一層確実に接触させることができる。
【００５３】
以上説明した実施形態のレール部材２は住宅の屋根の上に設置されるものとなっていたが、本発明の係るソーラーパネル固定装置は、建物の屋上に設置されるレール部材や、メガソーラーシステム等のために、空き地や傾斜地に設けられた基礎コンクリートや基礎杭で支持されるレール部材についても適用することができる。
【産業上の利用可能性】
【００５４】
本発明は、例えば、住宅等の屋根や屋上に設置されるソーラーパネルや、メガソーラーシステムのためのソーラーパネルに利用できる。
【符号の説明】
【００５５】
１，１Ａ，１Ｂ  ソーラーパネル
２  レール部材
１０  固定ボルト
１０Ａ  頭部
１０Ｂ  軸部
１１  押し付け部材
１２  ナット
１３  カバー部材
１５  孔部
１６  第１当接部
１７  第２当接部
２０Ａ  第１部分
２０Ｂ  第２部分
２２，２３  突起部
３０  連結手段
Ａ，Ｂ，Ｃ  固定装置
【図１】
0006423237.tif 000002
【図２】
0006423237.tif 000003
【図３】
0006423237.tif 000004
【図４】
0006423237.tif 000005
【図５】
0006423237.tif 000006
【図６】
0006423237.tif 000007
【図７】
0006423237.tif 000008
【図８】
0006423237.tif 000009